(57)【要約】【課題】暖房機の温風吹出口に手などを近づけたときの不快な熱さが解消される暖房装置を提供する。【解決手段】ロータンクカバー４の下部側面には、トイレルーム内の暖房用の暖房機１０が設置されている。この暖房機１０は、送風用のファンと、このファンからの風を加熱するためのエアヒータとを備えている。温風の吹出口１０ａは、ロータンクカバー４の底面に設けられている。トイレルーム内の気温が所定温度よりも低くなると、暖房機１０が作動し、吹出口１０ａから温風が吹出す。この吹出口１０ａに手などが近づけられると、検知センサ１１から検知信号が制御器６に入力され、暖房機１０が停止する。手が吹出口１０ａから遠ざかり、検知センサ１１が手などを検知しなくなると、制御器６は暖房機１０を再作動させる。【選択図】  図１
2004218915.tif 000002
【特許請求の範囲】
【請求項１】
部屋内に向けて吹出口から温風を吹き出す暖房機と、該暖房機を制御する制御手段とを有する暖房装置において、
該吹出口近傍の人体あるいは物体を検知する物体検知手段が設けられており、前記制御手段は、該物体検知手段が物体を検知した場合、該暖房機を停止させることを特徴とする暖房装置。
【請求項２】
請求項１において、該制御手段は、物体検知手段の物体検知により暖房機を停止させた後、該物体検知手段が物体不検知となった場合、暖房機を再作動させることを特徴とする暖房装置。
【請求項３】
部屋内に向けて吹出口から温風を吹き出す暖房機と、該暖房機を制御する制御手段とを有する暖房装置において、
該吹出口近傍の人体あるいは物体を検知する物体検知手段が設けられており、前記制御手段は、該物体検知手段が物体を検知した場合、該暖房機の吹出風の温度を低下させることを特徴とする暖房装置。
【請求項４】
請求項３において、該制御手段は、物体検知手段の物体検知により暖房機の吹出風の温度を低下させた後、該物体検知手段が物体不検知となった場合、吹出風の温度を元に復帰させることを特徴とする暖房装置。
【請求項５】
請求項１ないし４のいずれか１項において、便座ボックス又はロータンクカバー内に設置されていることを特徴とする暖房装置。
【発明の詳細な説明】
【０００１】
【発明の属する技術分野】
本発明は、温風を吹出すタイプの暖房装置に係り、特にトイレルームの暖房に好適な暖房装置に関する。
【０００２】
【従来の技術】
トイレルーム用暖房装置として、洋風便器の後部上面に設置された便座ボックスやロータンクカバーに温風吹出装置を設置したものが周知である（例えば特開２０００−２１３０４２号）。
【０００３】
また、特開平６−１４２００９号には、部屋壁面に温風吹出タイプの暖房装置を設置したトイレルームが記載されている。
【０００４】
【特許文献１】
特開２０００−２１３０４２号公報
【特許文献２】
特開平６−１４２００９号公報
【０００５】
【発明が解決しようとする課題】
温風の吹出口は、温風によってかなり高い温度となっている。そのため、暖房機が作動している場合に温風吹出口に手などを近づけると、不快な熱さが感じられることがある。
【０００６】
本発明は、かかる吹出口の不快な熱さが解消される暖房装置を提供することを目的とする。
【０００７】
【課題を解決するための手段】
本発明（請求項１）の暖房装置は、部屋内に向けて吹出口から温風を吹き出す暖房機と、該暖房機を制御する制御手段とを有する暖房装置において、該吹出口近傍の人体あるいは物体を検知する物体検知手段が設けられており、前記制御手段は、該物体検知手段が物体を検知した場合、該暖房機を停止させることを特徴とするものである。
【０００８】
また、本発明（請求項３）の暖房装置は、部屋内に向けて吹出口から温風を吹き出す暖房機と、該暖房機を制御する制御手段とを有する暖房装置において、該吹出口近傍の人体あるいは物体を検知する物体検知手段が設けられており、前記制御手段は、該物体検知手段が物体を検知した場合、該暖房機の吹出風の温度を低下させることを特徴とするものである。
【０００９】
かかる本発明の暖房装置にあっては、吹出口に手を近づけると暖房機が停止する（請求項１）か又は、吹出風の温度が低下する（請求項３）。そのため、吹出口の温度が低くなり、熱さによる不快感が解消される。
【００１０】
なお、物体検知に基づいて暖房機を停止した場合、物体不検知になったときには暖房機を再作動させて部屋内を暖めるのが好ましい（請求項２）。
【００１１】
また、同様に、物体検知信号に基づいて吹出風の温度を低下させた後、物体が不検知になったときには、吹出風の温度を元の温度にまで復帰させて部屋内を暖めるのが好ましい（請求項４）。
【００１２】
【発明の実施の形態】
以下、図面を参照して実施の形態について説明する。図１は実施の形態に係る暖房装置がロータンクカバー内に設置された洋風便器設備の斜視図である。
【００１３】
洋風便器１上には、開閉可能に便座２と便蓋３が設けられ、後方側にはロータンクカバー４が立設されている。このロータンクカバー４内に洗浄水を溜めるロータンク５が設置されている。また、このロータンクカバー４内には制御器６が配置されている。ロータンクカバー４の上部には手洗鉢４ａが設置されている。
【００１４】
ロータンクカバー４の下部には、前記便座２及び便蓋３を自動で開閉できるように電動開閉ユニット７が設けられている。また、タンクカバー４の前面には便蓋用の人体検知センサ８が設けられ、また、下部には便座用の人体検知センサ９が設けられている。図示はしないが、便座２上に用便者が着座した時にこの着座状態を検出できるように静電容量式の着座センサが設けられている。
【００１５】
ロータンクカバー４の下部側面には、トイレルーム内の暖房用の暖房機１０が設置されている。この暖房機１０は、送風用のファンと、このファンからの風を加熱するためのエアヒータとを備えている。温風の吹出口１０ａは、ロータンクカバー４の底面に設けられている。この吹出口１０ａは、ロータンクカバー４の側辺部が洋風便器の後部上面から速報に張り出した部分に設けられている。温風はこの吹出口１０ａから下向きに吹出す。
【００１６】
この吹出口１０ａには、該吹出口１０ａの近傍に近づいた手などの人体あるいは物体の一部を検知するための検知センサ１１が設けられている。この検知センサ１１の検知信号は制御器６に入力されており、暖房機１０はこの制御器６によって制御される。
【００１７】
図示はしないが、ロータンクカバー４には、トイレルーム内の気温を検出する気温センサが設けられている。この気温センサの検出気温が設定温度よりも低下すると、暖房機１０が自動的に温風吹出作動可能とされている。
【００１８】
また、図示はしないが、該洋風便器１の近傍のトイレの壁面等にはリモコンが設置されており、このリモコンには、人体臀部の温水洗浄や人体臀部の温風乾燥などの操作用スイッチが設けられている。また、このリモコンには、暖房便座２の温度や運転の設定、暖房機１０の運転の設定、室内温度の設定等を行うためのスイッチが設けられている。
【００１９】
このように構成された洋風便器設備にあっては、リモコンによって暖房運転が設定されている場合、トイレルーム内の気温が所定温度よりも低くなると、暖房機１０が作動し、吹出口１０ａから温風が吹出す。この吹出口１０ａに手などが近づけられると、検知センサ１１から検知信号が制御器６に入力され、暖房機１０が停止する。即ち、ファンが停止すると共にエアヒータへの通電が停止される。これにより、吹出口１０ａの温度が低くなるので、不快な熱さが感じられないようになる。
【００２０】
手が吹出口１０ａから遠ざかり、検知センサ１１が手などを検知しなくなると、制御器６は暖房機１０を再作動させる。
【００２１】
この実施の形態では、このように手などが吹出口１０ａに近づくと暖房機１０を停止させているが、手などが吹出口１０ａに近づくと暖房機１０のエアヒータへの通電量を減少させ、吹出口１０ａから吹出温風の温度を低下させてもよい。この場合、手などが吹出口１０ａから遠ざかった場合には、エアヒータへの通電量を元に戻し、元の温度の温風を吹出すようにする。
【００２２】
また、本発明では、検知センサ１１が手などを検知した場合にファンの作動はそのままとしエアヒータへの通電を停止し、加熱されていない風が吹出口１０ａから吹出すようにしてもよい。このようにすれば、吹出口１０ａが強制的に空冷されるので、吹出口１０ａの熱さが急激に和らぐ。手などが吹出口１０ａから遠ざかったときには、エアヒータへの通電を再開する。
【００２３】
上記の検知センサ１１としては、赤外線センサや超音波センサ、静電容量センサ、マイクロ波によるドップラセンサなど各種のものを用いることができる。なお、検知センサとして人体以外の物体をも検知するセンサ（上記のうちでは、静電容量センサ以外のもの）を採用した場合には、吹出口１０ａの近くにトイレ清掃具等の物体を置いたときにも暖房機１０が作動停止するか又は、温風温度が低下するので、これらの物品が熱くなることも防止される。
【００２４】
本発明では、検知センサ１１が所定時間以上にわたって検知信号を出力するときには、アラーム手段を作動させてもよい。このアラーム手段としては、音や光によって警報を発するものが好適である。
【００２５】
上記実施の形態ではロータンクカバー４に暖房機１０が設置されているが、図２のように便座ボックス１９に暖房機２０が設けられてもよい。図２では洋風便器１８の後部上面に便座ボックス１９が設置され、この便座ボックス１９に便座２３と便蓋２４とが上下方向回動可能に支持されている。この実施の形態では、暖房機２０の吹出口２０ａは便座ボックス１９の側面に設けられている。この吹出口２０ａに検知センサ１１（図２では図示略）が設置されている。
【００２６】
本発明では、暖房機はトイレルームの壁面等に設けられてもよい。
【００２７】
【発明の効果】
以上の通り、本発明によると、暖房機の温風吹出口に手などを近づけたときの不快な熱さが解消される。
【図面の簡単な説明】
【図１】実施の形態に係る暖房装置がロータンクカバー内に設置された洋風便器設備の斜視図である。
【図２】別の実施の形態を示す斜視図である。
【符号の説明】
１，１８  洋風便器
４  ロータンクカバー
１０，２０  暖房機
１０ａ，２０ａ  吹出口
１１  検知センサ
【図１】
2004218915.tif 000003
【図２】
2004218915.tif 000004